(57)【要約】【課題】回転繰出式の複合筆記具において、新たな部材を設けることなく、従来の部材に簡単な加工を施すことにより、全ての筆記体の筆記先端部を軸筒の先端開口部より没入した状態にする際に、回転操作体を回転し過ぎて、他の筆記体の筆記先端部が軸筒の先端開口部より突出し難いような構造とする。【解決手段】前記回転カム筒１１の前記摺動ケース７の筆記体収容溝６に面した内周壁面３９に、回転カム筒１１が摺動ケース７に対して回転可能な突出量の嵌合突起４０を設ける。、回転カム筒１１が回転して前記嵌合突起４０が嵌合可能な位置の摺動ケース７の筆記体収容溝６を設けた収容部２０の筆記体収容溝６を構成する側壁４１ａ、４１ｂ、４１ｃの外周壁面４２ａ、４２ｂ、４２ｃに、嵌合突起４０が嵌合可能な嵌合突起用溝４３を設ける。【選択図】図３
2011126214.tif 000002
【特許請求の範囲】
【請求項１】
軸筒内に、周方向に形成した筆記体を収容する複数の筆記体収容溝を有した摺動ケースと、該摺動ケースの外周上を回転可能に回転カムとを配設し、摺動ケースの筆記体収容溝に、カム係止突起を有した摺動体を装着した筆記体をばねにより軸筒の先端開口部と反対側の後方に付勢し、カム係止突起を筆記体収容溝から外方へ突出させて収容し、回転カムに形成した傾斜面を有したカム面に摺動体のカム係止突起を当接し、回転カムを回転させるための回転操作体を回転して回転カムを摺動ケースに対して回転することにより、カム係止突起がカム面に沿って移動することで摺動体および筆記体が前後動し、筆記体の筆記先端部を軸筒の先端開口部より出没してなる回転繰出式の複合筆記具において、前記回転カムの内周壁面に、回転カムが摺動ケースに対して回転可能な嵌合突起を１つまたは複数設け、前記摺動ケースの側壁の外周壁面に、前記嵌合突起が嵌合可能な嵌合突起用溝を複数または１つ設け、全ての筆記体の筆記先端部を軸筒の先端開口部より没入した際に、少なくとも１つの嵌合突起が嵌合突起用溝に嵌合することを特徴とする、回転繰出式の複合筆記具。
【請求項２】
前記嵌合突起用溝を、摺動ケースの筆記体収容溝を設けた収容部の筆記体収容溝を構成する側壁の外周壁面に設け、前記嵌合突起を、筆記体の筆記先端部が軸筒の先端開口部より突出した際に、摺動ケースの筆記体収容溝に対向した位置となる回転カムの内壁面に設けたことを特徴とする、請求項１に記載の回転繰出式の複合筆記具。
【発明の詳細な説明】
【技術分野】
【０００１】
本発明は、回転操作体を回転することにより、軸軸内に収容した筆記体の筆記先端部を軸筒の先端開口部より出没可能とした回転繰出式の複合筆記具に関するものである。
【背景技術】
【０００２】
従来より、軸筒内に、周方向に形成した筆記体を収容する複数の筆記体収容溝を有した摺動ケースと、該摺動ケースの外周上を回転可能に回転カムとを配設し、摺動ケースの筆記体収容溝に、カム係止突起を有した摺動体を装着した筆記体をばねにより軸筒の先端開口部と反対側の後方に付勢し、カム係止突起を筆記体収容溝から外方へ突出させて収容し、回転カムに形成した傾斜面を有したカム面に摺動体のカム係止突起を当接し、回転カムを回転させるための回転操作体を回転して回転カムを摺動ケースに対して回転することにより、カム係止突起がカム面に沿って移動することで摺動体および筆記体が前後動し、筆記体の筆記先端部を軸筒の先端開口部より出没してなる回転繰出式の複合筆記具は、知られている。
【０００３】
こうした回転繰出式の複合筆記具の構造は、例えば、軸筒を前軸と回転操作体としての後軸とで構成し、後軸を前軸に対して回転することで回転カムを回転し、筆記体の後端部に装着した摺動体のカム係止突起を回転カムのカム面に沿って移動して摺動体および筆記体を軸筒の先端開口部側に前進させ、回転カムの傾斜面の軸筒の先端開口部側の先端の頂部に形成した凹溝にカム係止突起を係止することで、筆記体の筆記先端部を軸筒の先端開口部より突出させてその状態を維持する構造としてある。
【０００４】
そのために、筆記体の筆記先端部を軸筒の先端開口部より突出した状態から、全ての筆記体の筆記先端部を軸筒の先端開口部より没入した状態にする際には、前記回転カムの凹溝からカム係止突起の係止を離脱させるために、前軸に対して後軸を大きな回転トルクで回転する必要があり、その結果、回転しすぎて他の筆記体の筆記先端部を軸筒の先端開口部より突出させてしまうことが頻繁にある。
【０００５】
前記問題を解消する技術として、全ての筆記体が軸筒内に位置したときに、筆記体の不用意な軸心方向への移動を規制するために、回転カムのカム面の所定位置に筆記部材（筆記体）の先端が筆記具本体（軸筒）内に収まる位置に中間係止部や位置規制部を設けた技術が、実開昭５９−１２４１８９号公報や特許第３７７００４４号公報により開示されている。確かに、前記中間係止部や位置規制部を設けることにより、筆記体の筆記先端部を軸筒の先端開口部より突出した状態から、全ての筆記体の筆記先端部を軸筒の先端開口部より没入した状態にする際は、各摺動体のカム係止突起が回転カムのカム面に設けた中間係止部や位置規制部に係止するので係止感があり、前記したように回転操作体を回転して回転カムを回転し過ぎることはない。
【０００６】
しかし、前記技術では係止部の形状の設け方によっては、回転カムを回転する回転トルクが大きすぎると係止が確実に行えなかったり、係止を確実に行うために、特許第３７７００４４号公報に開示された位置規制部のように、回転カムの傾斜面に軸方向に沿う方向に延びる起立部と、各従動部材（摺動体）の後端形状に倣う湾曲部とで構成された形状に設ける必要があり、従来の構造では、製造上において係止部や位置規制部の形状に注意を払わなければならないという問題があった。
【先行技術文献】
【特許文献】
【０００７】
【特許文献１】実開昭５９−１２４１８９号公報
【特許文献２】特許第３７７００４４号公報
【発明の開示】
【発明が解決しようとする課題】
【０００８】
本発明の目的は、従来の、軸筒内に、周方向に形成した筆記体を収容する複数の筆記体収容溝を有した摺動ケースと、該摺動ケースの外周上を回転可能に回転カムとを配設し、摺動ケースの筆記体収容溝に、カム係止突起を有した摺動体を装着した筆記体をばねにより軸筒の先端開口部と反対側の後方に付勢し、カム係止突起を筆記体収容溝から外方へ突出させて収容し、回転カムに形成した傾斜面を有したカム面に摺動体のカム係止突起を当接し、回転カムを回転させるための回転操作体を回転して回転カムを摺動ケースに対して回転することにより、カム係止突起がカム面に沿って移動することで摺動体および筆記体が前後動し、筆記体の筆記先端部を軸筒の先端開口部より出没してなる回転繰出式の複合筆記具において、新たな部材を設けることなく、従来の部材に簡単な加工を施すことにより、全ての筆記体の筆記先端部を軸筒の先端開口部より没入した状態にする際に、回転操作体を回転し過ぎて、他の筆記体の筆記先端部が軸筒の先端開口部より突出し難いような、新たな構造の回転繰出式の複合筆記具を得ることにある。
【課題を解決するための手段】
【０００９】
本発明は、
「１．軸筒内に、周方向に形成した筆記体を収容する複数の筆記体収容溝を有した摺動ケースと、該摺動ケースの外周上を回転可能に回転カムとを配設し、摺動ケースの筆記体収容溝に、カム係止突起を有した摺動体を装着した筆記体をばねにより軸筒の先端開口部と反対側の後方に付勢し、カム係止突起を筆記体収容溝から外方へ突出させて収容し、回転カムに形成した傾斜面を有したカム面に摺動体のカム係止突起を当接し、回転カムを回転させるための回転操作体を回転して回転カムを摺動ケースに対して回転することにより、カム係止突起がカム面に沿って移動することで摺動体および筆記体が前後動し、筆記体の筆記先端部を軸筒の先端開口部より出没してなる回転繰出式の複合筆記具において、前記回転カムの内周壁面に、回転カムが摺動ケースに対して回転可能な嵌合突起を１つまたは複数設け、前記摺動ケースの側壁の外周壁面に、前記嵌合突起が嵌合可能な嵌合突起用溝を複数または１つ設け、全ての筆記体の筆記先端部を軸筒の先端開口部より没入した際に、少なくとも１つの嵌合突起が嵌合突起用溝に嵌合することを特徴とする、回転繰出式の複合筆記具。
２．前記嵌合突起用溝を、摺動ケースの筆記体収容溝を設けた収容部の筆記体収容溝を構成する側壁の外周壁面に設け、前記嵌合突起を、筆記体の筆記先端部が軸筒の先端開口部より突出した際に、摺動ケースの筆記体収容溝に対向した位置となる回転カムの内壁面に設けたことを特徴とする、前記１項に記載の回転繰出式の複合筆記具。」
である。
【００１０】
回転繰出式の複合筆記具においては、摺動ケースに設けられる筆記体を収容する複数の筆記体収容溝は、周方向に等間隔に周方向の溝幅を同等に形成してあるのが一般的である。従って、筆記体を３本筆記体収容溝に収容した複合筆記具では、全ての筆記体の筆記先端部を軸筒の先端開口部より没入した際に、回転カムに設けた嵌合突起を摺動ケースに設けた嵌合突起用溝に嵌合させるには、少なくとも嵌合突起１つに対して、嵌合突起用溝を周方向に１２０°ごとに３つ設ければ良いが、嵌合突起を１２０°ごとに３つ設けても良い。嵌合突起を１２０°ごとに３つ設ければ、嵌合突起用溝は１つでも良く、全ての筆記体の筆記先端部を軸筒の先端開口部より没入した際に、少なくとも１つの嵌合突起が嵌合突起用溝に嵌合するように、嵌合突起と嵌合突起用溝を設けるようにすることが重要である。２つの筆記体収容溝に筆記体を各々収容した複合筆記具では、嵌合突起１つに嵌合突起用溝を周方向に１８０°ごとに２つ設けた構造でも良いし、突起部を２つ設けて１つまたは２つの嵌合突起用溝を設けた構造でも良い。４つの筆記体収容溝に筆記体を各々収容した複合筆記具では、嵌合突起１つに嵌合突起用溝を周方向に９０°ごとに４つ設けた構造でも良いし、突起部を４つ設けて１つまたは４つの嵌合突起用溝を設けた構造でも良い。
【００１１】
本発明においては、嵌合突起の突出量は、回転カムが摺動ケースに対して回転可能なものでなければならなく、逆に突出量が少ないと嵌合突起用溝に嵌合しても離脱しやすいので回転カムの回転を抑制する効果が小さくなる。突出量の設定は重要であり、回転カムの内周壁面と摺動ケースの外周壁面とのクリアランスにより適宜設定する必要がある。
【００１２】
本発明において回転カムは、軸筒の内壁面に一体に形成して配設しても良いし、回転カム筒として軸筒と別体に形成して軸筒内に配設してもよい。適宜選択すれば良い。
【発明の効果】
【００１３】
本発明の回転繰出式の複合筆記具は前記したような構造なので、新たな部材を設けることなく、回転カムと摺動ケースに簡単な加工を施すことで、全ての筆記体の筆記先端部を軸筒の先端開口部より没入した際には、回転カムに設けた嵌合突起が摺動ケースに設けた嵌合突起用溝に嵌合するので嵌合感があり、回転時の感触の変化により、回転操作体を回転し過ぎないように注意することができ、回転操作体を回転し過ぎて他の筆記体の筆記先端部が軸筒の先端開口部より突出させてしまうことが起き難くなる。
【００１４】
請求項２に係る発明とすることで、複合筆記具として軸筒内にシャープペンシルユニットの筆記体を収容した場合には、シャープペンシルユニットの筆記体の筆記先端部を軸筒の先端開口部より突出させて鉛芯を繰出すために、回転カムを摺動ケースに対して前進させてシャープペンシルユニットの筆記体を押圧する必要があるが、回転カムに設けた嵌合突起が摺動ケースの筆記体収容溝に位置するので、嵌合突起が回転カムの摺動ケースに対する前進を妨げる事がないので手段を講じる必要がないという利点がある。
【図面の簡単な説明】
【００１５】
【図１】本発明の回転繰出式の複合筆記具の実施例で、筆記体の筆記先端部が軸筒の先端開口部より突出した状態を示し、要部を断面した回転繰出式の複合筆記具の正面図である。
【図２】図１における摺動ケースと回転カム筒の部分の、筆記体を除いた状態を示した拡大縦断面である。
【図３】図２におけるＡ−Ａ線部分の先端側方向（図２において左側方向）を見た端面の概略を示す拡大端面図で、（ａ）は、筆記体の筆記先端部が軸筒の先端開口部より突出した際の回転カム筒に設けた嵌合突起と摺動ケースに設けた嵌合突起用溝との位置関係を示した図であり、（ｂ）は、全ての筆記体の筆記先端部が軸筒の先端開口部に没入した際の嵌合突起と嵌合突起用溝との位置関係を示した図である。
【図４】図２における摺動体のカム係止突起の回転カム筒のカム面における位置関係を示す、カム面を展開した拡大展開図である。
【図５】軸筒内に２本の筆記体を収容した場合の他の実施例であって、回転カム筒に設ける嵌合突起と摺動ケースに設ける嵌合突起用溝を図２におけるＡ−Ａ線部分に設けた場合で、Ａ−Ａ線部分の先端側方向（図２において左側方向）を見た端面の概略を示す拡大端面図で、（ａ）は、筆記体の筆記先端部が軸筒の先端開口部より突出した際の回転カム筒に設けた嵌合突起と摺動ケースに設けた嵌合突起用溝との位置関係を示した図であり、（ｂ）は、全ての筆記体の筆記先端部が軸筒の先端開口部に没入した際の嵌合突起と嵌合突起用溝との位置関係を示した図である。
【発明を実施するための最良の形態】
【００１６】
本発明は、前軸と後軸とからなる軸筒内に、周方向に形成した筆記体を収容する複数の筆記体収容溝を有した摺動ケースと、該摺動ケースの外周上を回転可能に回転カム筒とを配設し、摺動ケースの筆記体収容溝に、カム係止突起を有した摺動体を装着した筆記体をばねにより軸筒の先端開口部と反対側の後方に付勢し、カム係止突起を筆記体収容溝から外方へ突出させて収容し、回転カム筒に形成した傾斜面を有したカム面に摺動体のカム係止突起を当接し、後軸を回転して回転カムを摺動ケースに対して回転することにより、カム係止突起がカム面に沿って移動することで摺動体および筆記体が前後動し、筆記体の筆記先端部を軸筒の先端開口部より出没してなる回転繰出式の複合筆記具において、前記回転カム筒の内壁面に、回転カム筒の摺動ケースに対する回転を妨げないような嵌合突起を１つ設け、前記摺動ケースの側壁の外周壁面に、全ての筆記体の筆記先端部を軸筒の先端開口部より没入した際に、前記嵌合突起が嵌合可能な筆記体収容溝と同数の嵌合突起用溝を設ける。
【実施例】
【００１７】
本発明の実施例を図面を用いて説明する。実施例において同じ部材、同じ箇所を示す場合は同じ符号を付してある。
本実施では、便宜上、シャープペンシルユニットの筆記体とボールペンレフィルの筆記体を軸筒内に収容した回転繰出式の複合筆記具として説明するが、これに限定されるものではない。軸筒内に、１本のシャープペンシルユニットの筆記体と複数本のボールペンレフィルの筆記体を収容した複合筆記具であってもよいし、複数本のシャープペンシルユニットの筆記体のみをあるいはボールペンレフィルの筆記体のみを収容した複合筆記具であってもよい。
【００１８】
図１〜図４に示す、本発明の実施例の回転繰出式の複合筆記具１は、軸筒２内にシャープペンシルユニットの筆記体３の１本とボールペンレフィルの筆記体４の２本を収容した構造のものである。本実施例の回転繰出式の複合筆記具１は、従来の回転繰出式の複合筆記具と同様に、軸筒２は前軸２ａと回転操作体としての後軸２ｂと、前軸２ａの前端（図１において左側）に螺着しかつ接着して設けた先窄み状の口金部５とで構成されている。前軸２ａと後軸２ｂとは着脱自在に連接して設けてある。
【００１９】
後軸２ｂの内部には、従来の回転繰出式の複合筆記具と同様に、周方向において１２０°ごとに３つ（図１および図２においては、１つの筆記体収容溝のみが描かれている。）の筆記体収容溝６を有した摺動ケース７と、軸心方向に延びた傾斜面８と平坦面９とで構成されたカム面１０（図２および図４を参照）を有する回転カム筒１１を、摺動ケース７の外周面上を回転可能にして配設してある。
【００２０】
また従来の回転繰出式の複合筆記具と同様に、後軸２ｂの後端には、クリップ１２と金輪１３を介在して消しゴム受け台１４が回転カム筒１１と螺着しかつ接着して配してあり、後軸２ｂの内壁面に設けた係止凸部１５を回転カム筒１１に形成した軸心方向に延びた係止溝１６に係止して、回転カム筒１１が後軸２ｂとともに連動して回転可能に設けてある。回転カム筒１１の後端は後軸２ｂの後端部に当接しており、後軸２ｂの後端部から抜け出さないようにしてある。消しゴム受け台１４には消しゴム１７が挿着してあり、後軸２ｂの後端には頭冠１８を消しゴム受け台１４に着脱自在に螺着して配してある。
【００２１】
前記摺動ケース７は、図２に示すように、円筒状の前方筒部１９と、周方向において１２０°ごとに周方向の幅寸法が同一の３つの筆記体収容溝６を有する収容部２０と、該収容部２０の外径より小径な係止部２１とで構成され、該係止部２１には、外方に突出した係止突部２２を設けてある（図２を参照）。回転カム筒１１の内壁面には、周方向において１２０°ごとに設けた３つの、内方に突出し軸心方向に延びた突条部２３と該突条部２３の先端に形成した前記係止突部２２に係止可能な係止爪部２４とで構成された被係止突部２５を設けてあり、前記摺動ケース７の係止突部２２を被係止突部２５の係止爪部２４に当接して、摺動ケース７に対して回転カム筒１１の後方（図２において右側方向）への移動を阻止するように摺動ケース７を回転カム筒１１内に挿着してある。係止部２１は、係止突部２２と収容部２０の後端との間を前記被係止突部２５の係止爪部２４が回転可能に嵌合凹部２６としてある。図１に示すように、摺動ケース７の前端部には外周壁面にリング状の突部２７を有した連結管２８が固着してあり、前軸２ａを、該前軸２ａの後端を前記突部２７に当接して前記連結管２８に圧入状態で嵌着して、前軸２ａを後軸２ｂに対して着脱自在に連接してある。後軸２ｂの先端には、装飾用金輪２９を螺着しかつ接着して設けてあり、連結管２８に圧入状態で嵌着した前軸２ａの後端部分を被覆してある。
【００２２】
回転カム筒１１の被係止突部２５に対向した内壁面には、摺動ケース７の収容部２０の後端に当接することで回転カム筒１１の前進を妨げる、周方向において１２０°ごとに周方向の幅寸法が同一の３つの内方に突出したストッパー用突起３０を設けてある。各筆記体３、４の筆記先端部３１、３２が軸筒２（口金部５）の先端開口部３３より突出した際のストッパー用突起３０が対向した摺動ケース７の収容部２０の後端には、前記嵌合凹部２６に開口したストッパー用突起溝３４を設けてあり、各筆記体３、４の筆記先端部３１、３２が軸筒２（口金部５）の先端開口部３３より突出した際には、回転カム筒１１および後軸２ｂが前軸２ａおよび摺動ケース７に対して、シャープペンシルユニットの筆記体３の筆記先端部３１から鉛芯（図示せず）を繰出すために必要な距離の分だけ前進可能としてある。
【００２３】
摺動ケース７の筆記体収容溝６には、２本のボールペンレフィルの筆記体４と１本のシャープペンシルユニットの筆記体３を、コイルスプリング３５を介在して後方（図１において右側方向）に付勢して収容してあるが、各々の筆記体３、４の後端部には摺動体３６を装着してあり、各々の摺動体３６にはカム係止突起３７を設けてある。各々のカム係止突起３７は、回転カム筒１１のカム面１０に後方への押圧状態で当接させてある。
【００２４】
例えば、図１に示すようにボールペンレフィルの筆記体４の筆記先端部３２を軸筒２（口金部５）の先端開口部３３より突出させるには、後軸２ｂを前軸２ａに対して回転すると、後軸２ｂに連動して回転カム筒１１も回転し、図４に示すように、回転カム筒１１のカム面１０に当接した各々の筆記体３、４の摺動体３６に設けたカム係止突起３７はカム面１０に沿って移動し、傾斜面８により各々の摺動体３６は前後動し、順次、各々の摺動体３６のカム係止突起３７の後端が、カム面１０の傾斜面８の先端に設けた凹溝３８に係止していくので、前記ボールペンレフィルの筆記体４の筆記先端部３２が先端開口部３３より突出した時に後軸２ｂの回転を止めれば、ボールペンレフィルの筆記体４の筆記先端部３１が先端開口部３３より突出した状態で維持される。
【００２５】
シャープペンシルユニットの筆記体３の筆記先端部３１を軸筒２（口金部５）の先端開口部３３より突出させて鉛芯（図示せず）を繰出すには、ストッパー用突起３０が摺動ケース７に設けたストッパー用突起溝３４に対向し、回転カム筒１１に連接した後軸２ｂは前軸２ａに対して前進可能となるので、後軸２ｂを押圧してシャープペンシルユニットを押圧すれば良い。
【００２６】
従来の回転繰出式の複合筆記具との相違点は、図２に示すＡ−Ａ線部分の前記回転カム筒１１の前記摺動ケース７の筆記体収容溝６に面した内周壁面３９に、回転カム筒１１が摺動ケース７に対して回転可能な突出量の嵌合突起４０を設けてあり、回転カム筒１１が回転して前記嵌合突起４０が嵌合可能な嵌合突起用溝４３を、摺動ケース７の収容部２０に設けた筆記体収容溝６を構成する側壁４１ａ、４１ｂ、４１ｃの外周壁面４２ａ、４２ｂ、４２ｃに設けた点である（図３を参照）。
【００２７】
図１に示すように、例えばボールペンレフィルの筆記体４の筆記先端部３２が軸筒２（口金部５）の先端開口部３３より突出した際には、図３の（ａ）に示すように、嵌合突起４０はいずれの嵌合突起用溝４３に嵌合しないように、側壁４１ａと側壁４１ｂとの間に位置する筆記体収容溝６の周方向の幅の中央に位置するように設けてあり、嵌合突起用溝４３は各側壁４１ａ、４１ｂ、４１ｃの外周壁面４２ａ、４２ｂ、４２ｃの周方向における幅の中央の位置に設けてある。後軸２ｂを前軸２ａに対して口金部５に向って時計回りに回転カム筒を６０°回転して、全ての筆記体３、４の筆記先端部３１、３２を先端開口部３３に没入した際には、図３の（ｂ）に示すように、嵌合突起４０が摺動ケース７の側壁４１ａに設けた嵌合突起用溝４３に嵌合するように設けてある。
【００２８】
図３において、嵌合突起４０はその存在が判るように、その突出量や大きさを実寸法より誇張して描いてあり、回転カム筒１１や摺動ケース７の実寸法との大きさの割合に合致するものではない。実際の嵌合突起４０は、嵌合突起用溝４３に嵌合し、かつ嵌合突起用溝４３から離脱して摺動ケース７の各側壁４１ａ、４１ｂ、４１ｃの外周壁面４２ａ、４２ｂ、４２ｃに当接して摺動可能で、回転カム筒１１の摺動ケース７に対する回転の妨げとならないような突出量、大きさのものである。
【００２９】
全ての筆記体３、４の筆記先端部３１、３２を先端開口部３３より没入した際には、嵌合突起４０が嵌合突起用溝４３に嵌合するので、その時の感触感があり、かつ嵌合突起４０が嵌合突起用溝４３に嵌合する直前には、嵌合突起用溝４３が摺動ケース７の側壁４１の外周壁面４２に当接して摺動するので、後軸を前軸に対して回転して回転カムを回転するのに必要なトルクが大きくなり、回転時における感触の変化があるので、後軸を前軸に対して必要以上に回転し過ぎないように注意することができる。
【００３０】
図５は、軸筒内にシャープペンシルユニットの筆記体とボールペンレフィルの筆記体の２本を収容した場合の実施例を示すものである。回転繰出構造は従来と同様なので説明は省くが、従来の回転繰出式の複合筆記具との相違点は、前記の実施例の場合と同様に、図２に示すＡ−Ａ線部分の前記回転カム筒１１の内周壁面３９に、回転カム筒１１が摺動ケース７に対して回転可能な突出量の嵌合突起４０を設け、回転カム筒１１が回転して前記嵌合突起４０が嵌合可能な嵌合用突起溝４３を、摺動ケース７の収容部２０の筆記体収容溝６を構成する側壁４４ａ、４４ｂの外周壁面４５ａ、４５ｂに設けた点である（図５を参照）。
【００３１】
前記実施例と同様に、図１に示すように例えばボールペンレフィルの筆記体４の筆記先端部３２が軸筒２（口金部５）の先端開口部３３より突出した際には、図５の（ａ）に示すように、嵌合突起４０はいずれの嵌合突起用溝４３に嵌合しないように、筆記体収容溝６の周方向の幅の中央に位置するように設けてあり、嵌合突起用溝４３は各側壁４４ａ、４４ｂの外周壁面４５ａ、４５ｂの周方向における幅の中央に位置に設けてあり、嵌合突起用溝４３は互いに対向するように周方向において１８０°離間した位置に設けてある。前記嵌合突起４０は各々の嵌合突起用溝４３より周方向において９０°離間した位置に設けてあり、後軸２ｂを前軸２ａに対して口金部５に向って時計回りに回転カム筒を９０°回転して、全ての筆記体３、４の筆記先端部３１、３２を先端開口部３３に没入した際には、図５の（ｂ）に示すように、嵌合突起４０が摺動ケース７の側壁４４ａに設けた嵌合突起用溝４３に嵌合するように設けてある。
【００３２】
図５においては、図３の場合と同様に、嵌合突起４０はその存在が判るように、その突出量や大きさを実寸法より誇張して描いてあり、回転カム筒１１や摺動ケース７の実寸法との大きさの割合に合致するものではない。実際の嵌合突起４０は、嵌合突起用溝４３に嵌合し、かつ嵌合突起用溝４３から離脱して摺動ケース７の各側壁４４ａ、４４ｂの外周壁面４５ａ、４５ｂに当接して摺動可能で、回転カム筒１１の摺動ケース７に対する回転の妨げとならないような突出量、大きさのものである。前記嵌合突起４０が判るように描いてあり、その突出量や大きさを実際の寸法にあわせて描いておらず、実際の寸法は、嵌合突起４０が、嵌合突起用溝４３に嵌合しかつ嵌合突起用溝４３から離脱して摺動ケース７の各側壁４４ａ、４４ｂの外周壁面４５ａ、４５ｂを当接して摺動可能で、回転カム筒１１の摺動ケース７に対する回転の妨げとならないような突出量、大きさとしてある。
【００３３】
全ての筆記体３、４の筆記先端部３１、３２を先端開口部３３より没入した際には、嵌合突起４０が嵌合突起用溝４３に嵌合する際の感触感があり、かつ嵌合突起４０が嵌合突起用溝４３に嵌合する直前には、嵌合突起用溝４３が摺動ケース７の側壁４１の外周壁面４２に当接して摺動するので、後軸を前軸に対して回転して回転カムを回転するのに必要なトルクが大きくなり、回転時における感触の変化があるので、後軸を前軸に対して必要以上に回転し過ぎないように注意することができる。
【産業上の利用可能性】
【００３４】
回転繰出式の複合筆記具において、軸筒内に収容した全ての筆記体の筆記先端部を軸筒内に没入させる際に、回転操作体を回転し過ぎて筆記体の筆記先端部が軸筒の先端開口部より突出しないようにしたい場合に、適用することができる。
【符号の説明】
【００３５】
１  回転繰出式の複合筆記具
２  軸筒
３、４  筆記体
６  筆記体収容溝
７  摺動ケース
８  傾斜面
１０  カム面
１１  回転カム筒
２０  収容部
２１  係止部
２５  被係止突部
３１、３２  筆記先端部
３３  先端開口部
３５  コイルスプリング
３６  摺動体
３７  カム係止突起
３９  内周壁面
４０  嵌合突起
４３  嵌合突起用溝
【図１】
2011126214.tif 000003
【図２】
2011126214.tif 000004
【図３】
2011126214.tif 000005
【図４】
2011126214.tif 000006
【図５】
2011126214.tif 000007